(57)【要約】【課題】誘導コイルにスイッチ機能を持たせ、可動部材と固定部材との接近又は離反によって電気設備の作動制御を行うようにした誘導コイル付き機器を提供する。【解決手段】収納ボックス１の本体２の前端面２ａに誘導コイルとしての１次コイル５が設けられている。扉４の裏面のうち、扉閉鎖時に該１次コイル５と対峙する位置に誘導コイルとして２次コイル６が設けられている。扉４の裏面の中央付近には紫外線発光体としてのＵＶＬＥＤ７が設置されている。扉４を閉めると、１次コイル５と２次コイル６とが対峙し、２次コイル６に誘導電流が流れ、ＵＶＬＥＤ７が点灯する。これにより、収納ボックス１内が紫外線で殺菌される。扉４を開けると、１次コイル５と２次コイル６とが離反し、ＵＶＬＥＤ７が消灯する。【選択図】図１
2006339044.tif 000002
【特許請求の範囲】
【請求項１】
固定部材と、該固定部材に対し近接しうる可動部材と、該固定部材及び可動部材にそれぞれ設けられ、該可動部材が固定部材に近接したときに対峙する誘導コイルとを有する誘導コイル付き機器において、
該可動部材の誘導コイルと固定部材の誘導コイルとの接近又は離反によって作動制御される電気設備を備えたことを特徴とする誘導コイル付き機器。
【請求項２】
請求項１において、前記固定部材及び可動部材の一方に設けられた誘導コイルが電源に接続され、他方に設けられた誘導コイルが電気設備に接続されていることを特徴とする誘導コイル付き機器。
【請求項３】
請求項１において、前記固定部材に第１及び第３の誘導コイルが設けられ、前記可動部材に第２及び第４の誘導コイルが設けられ、
該第１の誘導コイルが電源に接続され、該第４の誘導コイルが前記電気設備に接続され、
前記可動部材が固定部材に近接したときに第１の誘導コイルが第２の誘導コイルに対峙し、第３の誘導コイルが第４の誘導コイルに対峙することを特徴とする誘導コイル付き機器。
【請求項４】
請求項３において、前記誘導コイル付き機器はキッチンのシンクに設置されるディスポーザであり、
前記固定部材は、シンクに取り付けられるディスポーザ本体であり、
前記可動部材は、該ディスポーザ本体の上端部に装着された蓋であり、
前記電気設備は、該ディスポーザ本体のモータであることを特徴とする誘導コイル付き機器。
【請求項５】
請求項１ないし４のいずれか１項において、該固定部材及び可動部材の少なくとも一方に前記電気設備として発光体が設けられていることを特徴とする誘導コイル付き機器。
【発明の詳細な説明】
【技術分野】
【０００１】
本発明は、誘導コイル付き機器に係り、特にこの誘導コイルにスイッチ機能を持たせた誘導コイル付き機器に関する。
【背景技術】
【０００２】
特開２００４−２５４８０５号には、浴槽内にマッサージ機、照明、ヒータ、ポンプ等の機器を配置すると共に、該機器に２次コイルを設け、浴槽外に配置した１次コイルとの間の電磁誘導により該機器に給電することが記載されている。
【０００３】
特開２００３−１７４９７８号の図６，８には、シャワーヘッドに超音波発生器及び２次コイルを設けると共に、シャワーフックに１次コイルを設け、これら１次コイル、２次コイル間の電磁誘導により超音波発生器駆動用の蓄電池に給電することが記載されている。
【０００４】
浴槽に被せる蓋の下面に紫外線ＬＥＤを設け、浴槽の内面にカビやヌメリが付くことを防止することが特開２００１−９５６９９号の第００１１段落及び図１０に記載されている。
【０００５】
ディスポーザに紫外線ＬＥＤを設け、ディスポーザのヌメリ等を防止することが特開２００１−１１２８５５号に記載されている。
【特許文献１】特開２００４−２５４８０５号
【特許文献２】特開２００３−１７４９７８号
【特許文献３】特開２００１−９５６９９号
【特許文献４】特開２００１−１１２８５５号
【発明の開示】
【発明が解決しようとする課題】
【０００６】
上記特許文献１，２の誘導コイルにはスイッチ機能がなく、単に電力の供給のみが行われる。
【０００７】
本発明は、誘導コイルにスイッチ機能を持たせ、可動部材と固定部材との接近又は離反によって電気設備の作動制御を行うようにした誘導コイル付き機器を提供することを目的とする。
【課題を解決するための手段】
【０００８】
請求項１の誘導コイル付き機器は、固定部材と、該固定部材に対し近接しうる可動部材と、該固定部材及び可動部材にそれぞれ設けられ、該可動部材が固定部材に近接したときに対峙する誘導コイルとを有する誘導コイル付き機器において、該可動部材の誘導コイルと固定部材の誘導コイルとの接近又は離反によって作動制御される電気設備を備えたことを特徴とするものである。
【０００９】
請求項２の誘導コイル付き機器は、請求項１において、前記固定部材及び可動部材の一方に設けられた誘導コイルが電源に接続され、他方に設けられた誘導コイルが電気設備に接続されていることを特徴とするものである。
【００１０】
請求項３の誘導コイル付き機器は、請求項１において、前記固定部材に第１及び第３の誘導コイルが設けられ、前記可動部材に第２及び第４の誘導コイルが設けられ、該第１の誘導コイルが電源に接続され、該第４の誘導コイルが前記電気設備に接続され、前記可動部材が固定部材に近接したときに第１の誘導コイルが第２の誘導コイルに対峙し、第３の誘導コイルが第４の誘導コイルに対峙することを特徴とするものである。
【００１１】
請求項４の誘導コイル付き機器は、請求項３において、前記誘導コイル付き機器はキッチンのシンクに設置されるディスポーザであり、前記固定部材は、シンクに取り付けられるディスポーザ本体であり、前記可動部材は、該ディスポーザ本体の上端部に装着された蓋であり、前記電気設備は、該ディスポーザ本体のモータであることを特徴とするものである。
【００１２】
請求項５の誘導コイル付き機器は、請求項１ないし４のいずれか１項において、該固定部材及び可動部材の少なくとも一方に前記電気設備として発光体が設けられていることを特徴とするものである。
【発明の効果】
【００１３】
本発明の誘導コイル付き機器にあっては、可動部材を固定部材に対し接近又は離反させると、可動部材の誘導コイルと固定部材の誘導コイルとが対峙又は離反し、これにより誘導コイルからの電気設備への給電又は給電停止が行われ、電気設備の作動制御、例えばオン、オフが行われる。この場合、誘導コイルがスイッチとして機能している。
【００１４】
本発明では、請求項２の通り、固定部材及び可動部材にそれぞれ設けられた誘導コイルの一方を電源に接続し、他方を電気設備に接続し、これらの誘導コイルを介して電気設備に給電するようにしてもよい。この構成は簡易であり、低コストである。
【００１５】
本発明では、請求項３の通り、固定部材に第１及び第３の誘導コイルを設け、可動部材に第２及び第４の誘導コイルを設け、第１、第２、第３、第４の誘導コイルの順に電源誘導によって給電してもよい。この構成をディスポーザに適用し、ディスポーザの蓋を可動部材とした場合には、この蓋の開閉によってディスポーザのモータ制御を行うことが可能である（請求項４）。
【００１６】
本発明は、発光体のオンオフ制御に好適であり、例えば紫外線発光体のオンオフ制御に好適であるが、これに限定されない。
【発明を実施するための最良の形態】
【００１７】
以下、図面を参照して実施の形態について説明する。
【００１８】
第１図（ａ）は実施の形態に係る誘導コイル付き機器の斜視図、第１図（ｂ）は第１図（ａ）の扉閉鎖時におけるＢ−Ｂ線断面図である。
【００１９】
この機器は冷蔵庫などの収納ボックス１であり、前面が開口となっている本体２と、該本体２に対しヒンジ３を介して開閉可能に取り付けられた扉４とを有する。本体２の前端面２ａに誘導コイルとしての１次コイル５が設けられている。扉４の裏面のうち、扉４の閉鎖時に該１次コイル５と対峙する位置に誘導コイルとして２次コイル６が設けられている。扉４の裏面の中央付近には紫外線発光体としてのＵＶＬＥＤ７が設置されている。このＵＶＬＥＤ７は２次コイル６にハーネス（図示略）を介して導通している。１次コイル５は、メインスイッチ（図示略）を介して商用電源に接続されている。
【００２０】
このように構成された収納ボックス１において、扉４を閉めると、第１図（ｂ）のように１次コイル５と２次コイル６とが対峙し、２次コイル６に誘導電流が流れ、ＵＶＬＥＤ７が点灯する。これにより、収納ボックス１内が紫外線で殺菌される。扉４を開けると、１次コイル５と２次コイル６とが離反し、ＵＶＬＥＤ７が消灯する。これにより、人体に紫外線が当たることが防止される。
【００２１】
このように、扉４の開閉によりＵＶＬＥＤ７が自動的に点灯又は消灯するので誘導コイル５，６はスイッチ機能を有していることになる。
【００２２】
なお、扉４に設けられたＵＶＬＥＤ７に対しては、２次コイル６から給電されるので、扉４と本体２との間に電気配線を設けることが不要である。従って、扉４を多数回開閉しても、電気配線が疲労断線することがない。
【００２３】
なお、本体２の内面や扉４に光触媒を保持させてもよい。
【００２４】
第２図は別の実施の形態に係る誘導コイル付き機器の水平断面図である。
【００２５】
この実施の形態では、収納ボックス１０の本体１１の前面に引き戸１２が設けられている。
【００２６】
この本体１１は前面が開放しており、その前端面１１ａに１次コイル１３が設けられている。引き戸１２の裏面のうち、引き戸１２を閉めたときに該１次コイル１３に対峙する位置に２次コイル１４が設けられている。引き戸１２の裏面のうち、引き戸１２を閉めたときに収納ボックス本体１１内に臨む位置にＵＶＬＥＤ１５が設けられている。このＵＶＬＥＤ１５は２次コイル１４と電気配線（図示略）を介して接続されている。
【００２７】
１次コイル１３は、メインスイッチ（図示略）を介して商用電源に接続されている。
【００２８】
このように構成された収納ボックス１０においても、引き戸１２を閉めると、コイル１３，１４が対峙し、２次コイル１４に生じた誘導電流がＵＶＬＥＤ１５に給電され、ＵＶＬＥＤ１５が点灯する。引き戸１２を開けると、コイル１３，１４同士が離反し、ＵＶＬＥＤ１５が消灯する。
【００２９】
なお、本体１１の内面や引き戸１２の裏面に光触媒を保持させてもよい。
【００３０】
第３図（ａ），（ｂ）はさらに別の実施の形態に係る誘導コイル付き機器の水平断面図である。
【００３１】
この実施の形態では、収納ボックス２０の本体２１の前面から挿抜されるように引き出し２２が設けられている。
【００３２】
第３図（ａ）では、本体２１の前端面２１ａに１次コイル２３が設けられている。引き出し２２のフランジ２２ａの裏面のうち、引き出し２２を閉めたときに該１次コイル２３に対峙する位置に２次コイル２４が設けられている。
【００３３】
第３図（ｂ）では、本体２１の内部側面に１次コイル２３が設けられ、引き出し２２の外向き側面に２次コイル２４が設けられている。コイル２３，２４は、引き出し２２を閉めると対峙するように配置されている。
【００３４】
引き出し２２の内面にＵＶＬＥＤ２５が設けられている。このＵＶＬＥＤ２５は２次コイル２４と電気配線（図示略）を介して接続されている。
【００３５】
１次コイル２３は、メインスイッチ（図示略）を介して商用電源に接続されている。
【００３６】
このように構成された収納ボックス２０においても、引き出し２２を閉めると、コイル２３，２４が対峙し、２次コイル２４に生じた誘導電流がＵＶＬＥＤ２５に給電され、ＵＶＬＥＤ２５が点灯する。引き出し２２を開けると、コイル２３，２４同士が離反し、ＵＶＬＥＤ２５が消灯する。
【００３７】
なお、本体２１の内部上面や引き出し２２の内面に光触媒を保持させてもよい。
【００３８】
第４図は、本発明が適用された、洗髪等に使用することが可能なホース引出・収納型の水栓の斜視図、第５図は吐水ヘッド装着部付近の断面図である。
【００３９】
洗面カウンター３０に水栓３１の本体部３２が設置されている。この本体部３２内には湯水混合弁（図示略）が設置されており、レバーハンドル３３によって吐水・止水操作及び水温調節操作が行われるよう構成されている。本体部３２から斜め上方に枝管部３４が延設され、該枝管部３４内にホース３５が引き通されている。このホース３５は、カウンター３０の下側をループ状に引き回されて上記湯水混合弁の混合水流出ポートに接続されている。このホース３５の先端に吐水ヘッド３６が設けられている。この吐水ヘッド３６の下面にＵＶＬＥＤ３７が設けられている。
【００４０】
枝管部３４の先端側から細径のヘッド保持部３４ａが突設されており、該ヘッド保持部３４ａに対し吐水ヘッド３６の筒状基端部が着脱自在に嵌合する。
【００４１】
このヘッド保持部３４ａに１次コイル３８が設けられ、吐水ヘッド３６の基端部に２次コイル３９が設けられている。コイル３８はヘッド保持部３４ａの周方向に巻回されており、コイル３９は吐水ヘッド３６の基端部の周方向に巻回されている。コイル３９は、吐水ヘッド３６がヘッド保持部３４ａに完全に嵌合されたときにコイル３８と対峙する位置に設けられている。このコイル３９はＵＶＬＥＤ３７に配線で接続されている。コイル３８はメインスイッチを介して商用電源に接続されている。
【００４２】
なお、第５図では、ホース３５の図示が省略されている。
【００４３】
このように構成された水栓３１において、吐水ヘッド３６をヘッド保持部３４ａに嵌合させると、コイル３８，３９が対峙し、コイル３９に生じた誘導電流がＵＶＬＥＤ３７に給電され、ＵＶＬＥＤ３７が点灯する。これにより、洗面ボウル等が紫外線で殺菌される。なお、洗面ボウル等に光触媒を保持させておいてもよい。
【００４４】
吐水ヘッド３６をヘッド保持部３４ａから外すと、コイル３８，３９が離反し、ＵＶＬＥＤ３７が消灯する。
【００４５】
第６図（ａ）は、本発明が適用された、まな板付きシンクの平面図、第６図（ｂ）は、まな板を取り外した状態のシンクの平面図、第７図は第６図（ａ）のVII−VII線断面図である。
【００４６】
キッチンカウンター４０にシンク４１が設けられ、シンク４１の奥側に水栓４２が設置されている。
【００４７】
シンク４１の上縁に浅い段部４１ａが設けられ、シンク４１を跨ぐように配置されたまな板４４の端部が段部４１ａに載るように構成されている。
【００４８】
シンク４１の右奥側のコーナー部の段部４１ａに埋設されるようにして、１次コイル４５が設けられている。まな板４４の縁部には、まな板４４をシンク４１の規定位置に配置したときに該１次コイル４５と対峙する位置に２次コイル４６が埋設されている。まな板４４の裏面にはＵＶＬＥＤ４７が設けられている。このＵＶＬＥＤ４７は２次コイル４６に電気配線で接続されている。１次コイル４５はメインスイッチ（図示略）を介して商用電源に接続されている。
【００４９】
このように構成されたシンクにおいて、第６図（ａ）に示すように、まな板４４の裏面を下向きとし、まな板４４の側辺をシンク４１の右側辺に当て、且つ２次コイル４６がシンク４１の奥側となるようにまな板４４を配置すると、第７図の通りコイル４５，４６が対峙し、２次コイル４６に生じた誘導電流がＵＶＬＥＤ４７に給電され、ＵＶＬＥＤ４７が点灯する。これにより、シンク４１の内面やまな板４４の下面が殺菌される。なお、シンク４１の内面やまな板４４の下面に光触媒を保持させておいてもよい。まな板４４をずらしたり、取り外したりすると、コイル４５，４６が離反し、ＵＶＬＥＤ４７が消灯する。
【００５０】
第８図は、本発明が適用されたディスポーザの断面図、第９図は第８図のディスポーザのIX部分の拡大図である。第１０図はディスポーザの通電系統を示すブロック図である。第１１図はディスポーザのXI部分の拡大断面図である。
【００５１】
このディスポーザ５１は、上部に設けられた取付筒５２と、この取付筒５２にジョイントパッキン５３を介して連なる上ケース５４と、該上ケース５４の下側に連なる中ケース５５と、該中ケース５５の下側に連なる下ケース５６と、該ケース５５，５６内の粉砕室５７の周囲を囲む環状の粉砕板５８と、該粉砕室５７内の底面部に配置された回転テーブル状の回転羽根５９と、該回転羽根５９を回転させるモータ６０と、下ケース５６に設けられた排出口６１等を備えている。
【００５２】
取付筒５２には蓋６２が着脱自在に装着されている。この取付筒５２の内周面にコイル８１，８４が直径方向に対峙して設けられ、蓋６２の外周面にコイル８２，８３が直径方向に対峙して設けられている。なお、このコイル８１〜８４の構造については後述する。
【００５３】
蓋６２を取り外して生ゴミを粉砕室５７内に投入し、蓋を正規姿勢にて被せた後、シンクに水を流しながらスイッチ（図示略）をＯＮとすると、モータ６０及び回転羽根５９が回転し、生ゴミが破砕される。細かく破砕された生ゴミは、粉砕板５８の孔５８ａを通って水と共に排出口６１から排出される。
【００５４】
この実施の形態では、上ケース５４及び中ケース５５は紫外線透過性の合成樹脂等の素材よりなる。上ケース５４の上部は、上方ほど拡径する上向きテーパ部５４ａとなっている。このテーパ部５４ａよりも下側は筒状部５４ｂとなっている。中ケース５５には下方ほど拡径する下向きテーパ部５５ｂが設けられ、この下向きテーパ部５５ｂの上側と下側はそれぞれ筒状部５５ａ，５５ｃとなっている。この上向きテーパ部５４ａは蓋６２を指向し、下向きテーパ部５５ｂは回転羽根５９に向っている。
【００５５】
筒状部５４ｂ，５５ａは、等径であり、フランジ部５４ｃ，５５ｄを介して連結されている。
【００５６】
第１１図に拡大して示される通り、中ケース５５の下向きテーパ部５５ｂと筒状部５５ｃとの連結部付近は、下向きテーパ部５５ｂの外周面と略垂直な垂直面５５ｅとなっている。この垂直面５５ｅに対峙して紫外線光源としてのＵＶＬＥＤ７０がＬＥＤカバー７１に保持されるようにして設置されている。この実施の形態では、垂直面５５ｅは下ケース５５を周方向に周回しており、ＵＶＬＥＤ７０は直径方向に対峙して２個設けられている。ただし、ＵＶＬＥＤの数は１又は３個以上であってもよい。
【００５７】
中ケース５５の下向きテーパ部５５ｂの内面は、下向きの斜面Ａと段差面Ｂとを交互に繰り返した鋸歯状断面となっている。この斜面Ａは粗面よりなる。段差面Ｂは平滑面よりなる。
【００５８】
上ケース５４の上向きテーパ部５４ａの内面は、この下向きテーパ部５５ｂと上下対称形状の鋸歯状断面となっている。この上向きテーパ部５４ａの上向き斜面は粗面よりなる。筒状部５４ｂ，５５ａの内面は全体として粗面となっている。
【００５９】
次に、モータ６０及びＵＶＬＥＤ７０の点灯動作の制御機構について説明する。
【００６０】
上記の通り、取付筒５２にコイル８１，８４が設けられ、蓋６２にコイル８２，８３が設けられている。第１０図の通り、この実施の形態では、第１ないし第４のコイル８１〜８４が直径方向の一直線上に配置されるように蓋６２を装着した状態が蓋６２の正規姿勢である。
【００６１】
各コイル８１，８４は、コイル軸心方向を取付筒５２の直径方向とし、コイル８２，８３は、コイル軸心方向を蓋６２の直径方向としている。コイル８１はメインスイッチ（図示略）を介して商用電源８０に接続されている。コイル８２，８３は配線（図示略）によって接続されている。コイル８４は制御回路８５を介してモータ６０及びＵＶＬＥＤ７０に接続されている。
【００６２】
蓋６２を取付筒５２に正規姿勢にて装着すると、コイル８１〜８４が一直線上に配列され、コイル８１，８２間で電磁誘導が生じると共に、コイル８３，８４間で電磁誘導が生じる。これにより、コイル８４に生じた電流が制御回路８５に給電され、制御回路８５は、この給電をモータ６０及びＵＶＬＥＤ７０に給電する。モータ６０へは、所定時間が経過するまで、又はモータ６０の駆動トルクが所定以下となり、モータ６０への通電電流値が所定値以下となるまで給電される。これにより、生ゴミが破砕され、排出口６１から排出される。なお、モータ６０の駆動中に蓋６２を回したり外したりすると、上記の電磁誘導が消滅し、コイル８４から制御回路８５への給電が停止するので、モータ６０への給電も停止され、モータ６０が停止する。
【００６３】
制御回路８５は、コイル８４から給電がある間は、ＵＶＬＥＤ７０に給電する。
【００６４】
この給電により、ＵＶＬＥＤ７０が点灯すると、紫外線が垂直面５５ｅから中ケース５５内に入射され、該中ケース５５内を導波して上ケース５４内にも入射され、上ケース５４内を導波する。中ケース５５、上ケース５４内を導波する間に、紫外線の一部がケース５５，５４の内面に当たると、ケース５５，５４内に出射する。このように出射した紫外線により、ディスポーザ５１内が殺菌され、ヌメリ除去などの防汚作用が奏される。
【００６５】
なお、蓋６２の下面や、粉砕板５８の内周面、回転羽根５９にも紫外線が照射されて防汚される。
【００６６】
この実施の形態では、中ケース５５の下向きテーパ部５５ｂに斜面Ａが設けられ、この斜面Ａが粗面となっているので、紫外線が下向きに多量に出射し、粉砕板５８の内周面及び回転羽根５９が十分に防汚される。蓋６２の下面も同様に上向きテーパ部５４ａから紫外線が多量に照射され、十分に防汚される。
【００６７】
なお、この粉砕板５８の内面や回転羽根５９の上面、蓋６２の下面や、上ケース５４、中ケース５５などに光触媒のコーティングなどにより光触媒を保持させておくと、光触媒作用によって有機物が分解され、防汚性能が向上する。
【００６８】
この実施の形態では、ケース５４，５５は全体として紫外線透過性を有しており、少数個のＵＶＬＥＤ７０から入射した紫外線が反射を繰り返すことにより、ケース５４，５５の全体に拡がり、ケース５４，５５の内面の略全体から紫外線が出射する。なお、ケース５４，５５の外面に必要に応じ紫外線反射層を設けてもよい。
【００６９】
この実施の形態では、ケース５４，５５の内面に蛍光材又は蓄光材のコーティング層を設けてもよい。この蛍光材又は蓄光材が発光することにより粉砕室５７内が照明される。また、紫外線の出射状況を可視光で確認することができる。
【００７０】
上記実施の形態では、垂直面５５ｅから入射したＵＶＬＥＤ７０からの紫外線のみを内部に照射しているが、ＵＶＬＥＤ７０の他にさらにケース５４，５５の外部に紫外線光源を配置し、この紫外線光源からの紫外線もケース５４，５５を透過させて内部に照射するようにしてもよい。
【００７１】
上記実施の形態ではケース５４，５５の内面に紫外線出射用の粗面を設けているが、ケース５４，５５の内面と外面との間に光散乱部を設け、紫外線を散乱させてケース５４，５５内に照射するようにしてもよい。この場合、ケース５４，５５の外面に反射層を設け、紫外線が外部に漏れないようにするのが好ましい。
【図面の簡単な説明】
【００７２】
【図１】第１図（ａ）は実施の形態に係る誘導コイル付き機器の斜視図、第１図（ｂ）は第１図（ａ）の扉閉鎖時におけるＢ−Ｂ線断面図である。
【図２】別の実施の形態に係る誘導コイル付き機器の水平断面図である。
【図３】さらに別の実施の形態に係る誘導コイル付き機器の水平断面図である。
【図４】本発明が適用された、洗髪等に使用することが可能なホース収納型の水栓の斜視図である。
【図５】吐水ヘッド装着部付近の断面図である。
【図６】第６図（ａ）は、本発明が適用されたまな板付きシンクの平面図、第６図（ｂ）はまな板を取り外した状態のシンクの平面図である。
【図７】第６図（ａ）のVII−VII線断面図である。
【図８】本発明が適用されたディスポーザの断面図である。
【図９】第８図のディスポーザのIX部分の拡大図である。
【図１０】ディスポーザの通電系統を示すブロック図である。
【図１１】ディスポーザのXI部分の拡大断面図である。
【符号の説明】
【００７３】
１，１０，２０  収納ボックス
４  扉
５，６，１３，１４，２３，２４  コイル
７，１７  ＵＶＬＥＤ
１２  引き戸
２２  引き出し
３０  洗面カウンター
３１  水栓
３６  吐水ヘッド
３７  ＵＶＬＥＤ
３８，３９  コイル
４１  シンク
４４  まな板
４５，４６  コイル
５１  ディスポーザ
５９  回転羽根
７０  ＵＶＬＥＤ
８１，８２，８３，８４  コイル
【図１】
2006339044.tif 000003
【図２】
2006339044.tif 000004
【図３】
2006339044.tif 000005
【図４】
2006339044.tif 000006
【図５】
2006339044.tif 000007
【図６】
2006339044.tif 000008
【図７】
2006339044.tif 000009
【図８】
2006339044.tif 000010
【図９】
2006339044.tif 000011
【図１０】
2006339044.tif 000012
【図１１】
2006339044.tif 000013